(57)【要約】      （修正有）【課題】用便後など人体局部の洗浄を容易に行うことができ、衛生面及び健康維持に寄与し身体に爽やか感を与え、充分な水量水圧が手元で調節ができる。しかも簡単な構造で低コストで製作ができ、洗浄作業後の収納が短時間に行え収納時などの煩わしさを簡略できる、コンパクトながら使い勝手の良い携帯洗浄器を提供する。【解決手段】ポンプハンドル１は洗浄作業時に手で握りやすいように外観に滑り止め加工をし、下部はピストンロッド４、側面にホース５を取り付ける。 シリンダ２は内部で水圧を作り送り出すところで、上部にピストンロッドガイド９、下部にベースバルブボディ３を取り付ける。ノズルハンドル６は洗浄作業時に手で握り身体形状に合わせ操作し、ノズルパイプ８の先端に開けた小さな穴のノズル７から、噴射する洗浄水が洗浄目標局部に噴射されるように操作する。【選択図】図１
0003147792.tif 000002
【実用新案登録請求の範囲】
【請求項１】
用便後などに肛門部などの身体局部を容易に洗浄できる携帯式洗浄器。
【請求項２】
携帯時、小容積にして収納することができ、使用時には旅先などでも容易に入手できる容器（主に使用済み空ペットボトルやジュース瓶、ビニール袋など）に簡単に取付セットができ、充分な水量と圧力を洗浄水として局部へ噴射洗浄ができる、請求項１に記載の携帯式洗浄器。 
【請求項３】
洗浄作業最終時まで水量、圧力が安定し、ノズルからの噴射水量と圧力の加減調節および停止が手動で容易に行うことのできる請求項１記載の携帯式洗浄器。
【請求項４】
構造が簡単で高精度を要しない部品を使用し製作しても洗浄器外部への水漏れや、洗浄性能に影響の少ない構造の請求項１記載の携帯式洗浄器。
【請求項５】
衛生面を守るため、洗浄作業終了後の洗浄器内部の残留洗浄水の水抜き作業を容易にできるようにした構造の請求項１記載の携帯式洗浄器。
【考案の詳細な説明】
【技術分野】
【０００１】
本考案は、携帯式洗浄器に関するものである。
【背景技術】
【０００２】
本考案に近い公知例として特開2004-24357号なるものなどがあるが、水タンクに圧力を手動や電動で加えて洗浄水を噴射する機器などが多く、気密不良などで洗浄水が漏れを起こす問題が多々あり、使用する部品精度を要しコストの高いものとなったりしていた。
また洗浄噴射水の水量、水圧が終止不安定で洗浄不良を生じたり、そして装置も携帯して持ち歩くには全体の容積も大きくなり、旅行などで荷物容積制限のある場合についても携帯するには問題が残った。そして洗浄作業終了後の洗浄器内部に残った洗浄水の排出作業などにおいても、短時間で洗浄水が抜けにくいなど、洗浄器の使用後に行う収拾収納作業に時間を要すなどの問題が多々あり衛生面でも好適な洗浄器ではなかった。
【０００３】
本考案に関連がある公知例として、
【特許文献１】：  実用新案登録第3081531号
【特許文献２】：  実用新案登録第3102951号
【特許文献３】：  特開平9-469号
【特許文献４】：  特開2004-24357号
【特許文献５】：  特開2006-305067号
【特許文献６】：  特開2006-305068号などが知られている。
【考案の開示】
【考案が解決しようとする課題】
【０００４】
お尻などの身体局部の洗浄水による洗浄は、爽やか感だけでなく洗浄局部の衛生性保持および身体上の健康維持に重要なことである。固定式汎用型として普及している設置型便器に付属した洗浄器では水量や、それを噴射するための動力源は一般電力や水道圧力を使用しており、現在では一般家庭においても洗浄器付き便器として普及している。
【０００５】
しかし携帯式洗浄器については、洗浄水量や動力源には制限があり、洗浄水量を増やせば洗浄水タンクと共に装置そのものが大きくなり、携帯用としては好適なものと言えなくなる。水圧についても動力源は限られ、そのため従来方式の携帯式洗浄器は水量や水圧不足などによる局部の洗浄不良などで清潔感が得られず、洗浄器に気密不良などが発生し洗浄作業時に水漏れなどを起こすことも多々あり、部品製作時に高精度が必要であり、また構造を複雑化し製作コストを上げる原因になったりした。これらのことから好適な携帯式洗浄器とは言い難いがたく不評なものであった。
【課題を解決するための手段】
【０００６】
本考案はそれらを解決するためなされたもので、請求項１記載の身体洗浄目標部を狙い洗いが容易にできるようにノズルパイプを身体形状に曲げ、またノズルパイプが洗浄器に対して自由に動作できるようフレキシブルパイプで連結し洗浄作業が容易に行えるようにした。
請求項２記載の洗浄水のタンクは何れの容器でも取付が可能であり、このことは旅行など荷物容積制限のある旅先などで洗浄水容器を取得し、容易に洗浄器と組合せセットすることで携帯時は小容積に収納して持ち運びを容易にしている。
請求項３記載の噴射水量水圧の調整もハンドルに加える力の操作で行えるため、洗浄水の局部への噴射する水量圧力を洗浄器使用者が自由に変えられ、また洗浄作業の中止も容易にできる。
請求項４記載の洗浄器は構造的に簡単で高精度を要しない部品で製作をすることができ、そのことで水漏れや使用時の性能低下は少なく、また請求項５記載の洗浄作業終了後の内部の残留洗浄水の水抜き作業が容易になるようにした構造で、しかも部品点数を極力抑えた低コストの携帯式洗浄器を提供する。
【考案の効果】
【０００７】
汎用の設置式便器に洗浄装置が付属していない便器において、本考案の携帯洗浄器を使用することで用便後、爽やかで衛生的であり、しかも身体の健康を維持できる。また旅行（海外など）などでお尻の洗浄器の未設置国などの訪問時でも本携帯洗浄器を常時携行し、用便後利用することで、局部の紙拭きなどで多発する痔病や、その他の病から開放されその効果が期待できる。
【考案を実施するための最良の形態】
【０００８】
図１は本考案の携帯式洗浄器を全体斜図で示したものである。ポンプハンドル(1)は洗浄作業時に手で握りやすいように外観に滑り止め加工をし、下部はピストンロッド(4)、側面にホース(5)を取り付ける。 シリンダ(2)は内部で水圧を作り送り出すところで、上部にピストンロッドガイド(9)、下部にベースバルブボディ(3)を取り付ける。ノズルハンドル(6)は洗浄作業時に手で握り身体形状に合わせ操作し、ノズルパイプ(8)の先端に開けた小さな穴のノズル(7)から、噴射する洗浄水が洗浄目標局部に噴射されるように操作する。
【０００９】
以後各部を詳細に説明する。図２はノズルパイプ部分を示した斜図である。図について説明すると、ホース(5)はポリエチレン製の細いホースで身体に合わせて長さを決めポンプハンドル(1)に接続し他端をノズルパイプ(8)と接続する。そのホース(5)との接続部に洗浄作業時に手で持つためのノズルハンドル(6)を取り付ける。またノズルパイプ(8)先端には洗浄水が噴射するための小さな穴、ノズル(7)口を空ける。そしてノズルパイプ(8)は洗浄作業を容易にするため先端部を身体形状に合わせて湾曲形状に曲げ作業性を向上させている。また携帯時に小さくして収納するためにノズルパイプ(8)の中央部を伸縮式構造にし、洗浄作業時は長くして使い携帯時には収縮させる構造とすれば、なお携帯機能の効率が良いものになる。
【００１０】
図3はポンプハンドル(1)部の内部を示した詳細図で、中空のパイプのピストンロッド(4)上部にはポンプハンドル(1)が取付られ、内部には上部弁(10)が取り付けてある。この上部弁(10)は洗浄作業時にポンプハンドル(1) を手で握り下側に、すなわちシリンダ(2)側に押し付けた時に中空のピストンロッド(4)内部を通ってきた洗浄水の水圧で開きホース(5)側への通路を開け、洗浄水を取り込み、またポンプハンドル(1)を上側に引き上げた時は、ピストンロッド(4)内部からは洗浄水の送水が無いため上部弁(10)は閉じる。すなわちこの弁は逆流防止弁であり、この弁により洗浄作業時にノズル(7)からの逆流を防ぎ内部に汚水の侵入を防いでいる。
【００１１】
図4はシリンダ本体内部を示した詳細図である。図について説明するとベースバルブボディ(3)はシリンダ(2)下部に取付けられ、中央部には洗浄作用時、容器内の洗浄水をシリンダ内部方向にのみ流す逆流防止弁の下部弁(12)が取り付けてある。
【００１２】
ピストン(11)はピストンロッド(4)の下部に取付けシリンダ内に納めてあり、洗浄作業時にポンプハンドル(1)を下側に手で押した時、ピストンロッド(4)を通じてシリンダ内でピストン(11)は下側に押され移動するため、ベースバルブボディ(3)との間で洗浄水は加圧され、その加圧された洗浄水は中空のピストンロッド(4)内部を通り、ポンプハンドル(1)内部の上部弁(10)を押し開きノズルパイプ(5)側に洗浄水を送ることになる。
【００１３】
またピストン(11)の外径とシリンダ(2)の内径はゆるい隙間で製作してある。これは洗浄水の加圧時に少量の水漏れを生じ水潤滑状態になるように製作してあり、このことで洗浄作業時のシリンダ(2)の内壁とピストン(11)の外壁の摩擦抵抗を少なくし軽快な洗浄作業ができ、また低精度に製作ができ  コストを下げることにもなる。そして洗浄作業後の残洗浄水の水抜きが短時間で容易にできる。またこの漏れた水はシリンダ(2)上部側に設けたシリンダホール(13)から容器(14)内部に戻り外部に漏れ出すことはない。
【００１４】
ピストンロッドガイド(9)は洗浄作業時にピストンロッド(4)の平行運動を助ける軸受け的なものである。ピストンロッドガイド(9)内径とピストンロッド(4)外径はゆるい隙間をもって製作してあり、この隙間から洗浄作業時に容器(14)内の洗浄水がベースバルブ(3)から吸引された量の空気量が外気から取り込まれ、シリンダ内上部に開けたシリンダホール(13)を通り容器(14)内へ外気が補充される。この比較的簡単な製作構造により摩擦抵抗が少なく洗浄作業時の作業力の軽減や、製作コスト上でも経年使用する上からも良く、洗浄作業終了後の残留洗浄水の抜き取りも容易にしている。なお容器(14)はシリンダ外径より大きいものであれば、全て取付可能で国内外とも汎用で多く普及している、飲み口の内径20mmのペットボトルやジュース瓶などが好適な組み合わせになる。
【００１５】
図５は本考案の携帯式洗浄器の実施状態を簡略図で示したもので、図について説明すると、不要になった使用済み容器(14)に洗浄水を入れ、その容器の飲み口部から本携帯洗浄器のベースバルブ(14)部の方向からを容器の中に洗浄器を差し入れ準備完了。そして用便が終わり次第、片手でポンプハンドル(1)を持ち、他の手でノズルハンドル(6)部を持ち、ノズル(7)部分を洗浄する局部目標部近くにしてポンプハンドル(1)をゆっくり上下運動する。その時ノズル(7)から洗浄水が弱く噴射するので、ノズルハンドル(6)を持った手でノズル(7)からの洗浄水の噴射位置を洗浄希望箇所（主に局部）に合わせる。その後ポンプハンドル(1)を希望の水量水圧になるよう往復運動力および早さ、往復ストローク量を加減しながら洗浄作業を行うことができ、ポンプハンドル(1)の動きを止めれば即、ノズルからの洗浄水の噴射は停止する。
すなわち本洗浄器はポンプハンドル(1)を上側に引き上げた時にポンプ内に洗浄水が吸引され、下側に押し付け移動させた時にノズル(7)から洗浄水が噴射し、その押し付ける力や早さおよび移動量に比例した洗浄水の水量水圧が、ノズル(7)から噴射するため噴射する水量と圧力は個々の希望に合わせてポンプハンドル(1)への加え方を加減すればよく、洗浄作業が終るまで洗浄水の噴射水量水圧は安定して調節できることから噴射水の不安定さからの洗浄不良は生じない。
【００１６】
図６では本考案の携帯洗浄器の洗浄作業終了後の残留洗浄水の抜き取り方法を詳細図で示した。洗浄作業後の残留洗浄水の抜き取り作業は衛生面上、また携帯洗浄器としても重要なことである。図で説明をすると、本携帯洗浄器の内部残留洗浄水を抜く時は、容器(14)から本体を抜き取りベースバルブボディ(3)側を上方向に向ける、このときベースバルブボディ(3)およびピストン(11)、ピストンロッドガイド(9)そしてポンプハンドル(1)内部の上内面の仕上形状は、全て円錐形状に仕上げてある。また上部弁(10)および下部弁(12)の両弁は重力方式を用いているため、両弁とも自重で開放状態になる。この状態にあることから内部の洗浄水は全て矢印に示すように流れ落ち、シリンダ(2)内部にある残留洗浄水はホース(5)を通り、ノズルパイプ(8)先端部のノズル(7)の穴から抜けでて行き、また高精度部品を使用せず製作したピストン(11)外径とシリンダ(2)内径、またピストンロッド外径とピストンロッドガイド(9)内径の各隙間からの残留洗浄水を外部に短時間に抜き出すことができ、その後ケースなどに素早く収納ができ、用便後の洗浄器などの収拾や収納に長時間を要しない。なお洗浄水の容器は 洗浄作業中などに内部に圧力が加わることがないため何れの容器でも使用可能で、荷物容積制限のある旅行などでは現地で何れかの容器を調達すればよく、容積のかさばる容器を持ち運ぶこともなく、なお作業効率の良い携帯洗浄器になる。
【図面の簡単な説明】
【００１７】
【図１】本考案の携帯式洗浄器を示した全体斜図。
【図２】ノズルパイプ(8)部分を示した斜図。
【図３】ポンプハンドル(1)部の内部を示した詳細図。
【図４】シリンダ本体内部を示した詳細図。
【図５】携帯式洗浄器の実施形態を示した簡略図。
【図６】携帯洗浄器の洗浄作業終了後の内部残留洗浄水の水抜き方法および洗浄器から残留洗浄水の抜ける状態を示した詳細図。
【符号の説明】
【００１８】
1    ポンプハンドル
2    シリンダ
3    ベースバルブボディ
4    ピストンロッド
5    ホース
6    ノズルハンドル
7    ノズル
8    ノズルパイプ
9    ピストンロッドガイド
10   上部弁
11   ピストン
12   下部弁
13   シリンダホール
14   洗浄水容器
15   便器
【図１】
0003147792.tif 000003
【図２】
0003147792.tif 000004
【図３】
0003147792.tif 000005
【図４】
0003147792.tif 000006
【図５】
0003147792.tif 000007
【図６】
0003147792.tif 000008
【手続補正書】
【提出日】平成20年11月7日(2008.11.7)
【手続補正１】
【補正対象書類名】実用新案登録請求の範囲
【補正対象項目名】全文
【補正方法】変更
【補正の内容】
【実用新案登録請求の範囲】
【請求項１】
用便後などに肛門部などの身体局部を容易に洗浄できる、手動式ポンプ、ホース、ノズルパイプ，ノズル，洗浄水容器からなる携帯式洗浄器。
【請求項２】
洗浄水容器を着脱できることにより、携帯時には小容積にして収納することができ、使用時には旅先などでも容易に入手できる容器（主に使用済み空ペットボトルやジュース瓶、ビニール袋など）に簡単に取付セットができ、充分な水量と圧力を洗浄水として局部へ噴射洗浄ができる、請求項１に記載の携帯式洗浄器。 
【請求項３】
ポンプハンドルにより、洗浄作業最終時まで水量、圧力が安定し、ノズルからの噴射水量と圧力の加減調節および停止が手動で容易に行うことのできる請求項１記載の携帯式洗浄器。
【請求項４】
構造が簡単で、ピストンやシリンダ等において高精度を要しない部品を使用し製作しても洗浄器外部への水漏れや、洗浄性能に影響の少ない構造の請求項１記載の携帯式洗浄器。
【請求項５】
ベースバルブボディおよびピストン、ピストンロッドガイドそしてポンプハンドル内部の上半面を円錐形状に仕上げ、また上部弁および下部弁が自重で開放状態になる構造により、洗浄作業終了後の洗浄器内部の残留洗浄水の水抜き作業を容易にでき、衛生面を守れるようにした請求項１記載の携帯式洗浄器。